(57)【要約】【課題】  本発明は、液晶パネルの正面視野角方向の輝度を向上させたレンズシートを提供することを課題とする。【解決手段】  本発明のレンズシートは、シート状の基材層１の少なくとも一面に、断面山型のレンズアレイ２を複数、基材層１の幅方向へ連設してなるレンズシートであって、レンズアレイ２の谷辺２３を同一平面状に形成し、隣接するレンズアレイ２の高さが全て異なることを特徴とする。また、前記レンズシートは、隣接するレンズアレイ２の頂部同士の仰角θが、１０°以上４０°未満であることを特徴とするものでもよい。【選択図】  図２
2007233017.tif 000002
【特許請求の範囲】
【請求項１】
シート状の基材層１の少なくとも一面に、断面山型のレンズアレイ２を複数、連設してなるレンズシートであって、レンズアレイ２の谷辺２３を同一平面状に形成し、隣接するレンズアレイ２の高さが（全て）異なることを特徴とするレンズシート。
【請求項２】
隣接するレンズアレイ２の頂部同士の仰角θが、１０°以上４０°未満であることを特徴とする請求項１記載のレンズシート。
【請求項３】
隣接するレンズアレイ２が高低交互の順となるように配列されることを特徴とする請求項１または２記載のレンズシート。
【請求項４】
隣接するレンズアレイ２の高低差が、基材層１の幅方向へ順に規則的に配列されることを特徴とする請求項１、２または３記載のレンズシート。
【発明の詳細な説明】
【技術分野】
【０００１】
本発明は、光源から導光体を経て導かれた光線を一平面方向へ集光させるためのレンズシートに関するもののうち、特に、液晶ディスプレイ装置の液晶パネルと光源たる蛍光ランプ（熱陰極管や冷陰極管）の間に重畳されて組み込まれるレンズシートに関する。
【背景技術】
【０００２】
現在汎用されている液晶ディスプレイ装置においては、液晶パネルを背面からライティングするバックライト機構が配設されている（配設順は図６に示すものと同様）。バックライト機構の構成は、液晶パネルから遠い順に、（１）管状の光源である蛍光管（熱陰極管や冷陰極管）、（２）蛍光ランプＬに隣接し、導光体内で液晶パネルに対し斜設された反射シート、（３）断面台形の透光板からなり、液晶パネルに平行な面を一構成面とする導光体、（４）導光体の前記一構成面に貼設された下拡散シート、（５）この下拡散シート上面に単数或いは複数枚重畳された断面鋸歯状（或いは蒲鉾状）のレンズシートという構成からなる。
【０００３】
蛍光ランプＬから出て導光体内の反射シートで反射した細長い光は、導光体によって均一な面光源になり、下拡散フィルムで出射方向がやや調整され、レンズシートで液晶パネル側へ向かう垂直方向に集光される。これらによって配光が調整され、液晶パネル面に対して均一なライティングが可能になっている。
【０００４】
ここでレンズシートは、透過型及び反透過型液晶表示装置において、液晶パネルへ入光する分散光を集光し、もって、バックライトの輝度を向上するものであるところ、従来のレンズシートとして、片面に鋸歯状の連続凹凸加工を施し、断面山形のレンズアレイ２´を基材層１´上に連続形成してなるものが存在した（例えば、特許文献１、図８参照）。これは、鋸歯部分をレンズアレイ２´として、光の方向を平面内で一次元化させ、平面に略垂直な一方向へと整光する。
【０００５】
ここで、頂角９０°の断面２等辺三角形の同一レンズ高さの組み合わせ配列からなる集光型プリズムレンズの視野角対輝度の特性試験結果を図３に、その視野角対輝度特性の試験結果を指向特性として表したものを図４に示す。（なお、測定系は図６に示すものと同様である。）この結果から、図８に示すような従来の高さ一定のレンズシートでは、正面視野角方向を外れた方向へ指向性をもって出射される光が実質的にロスされていることが判明した。
【０００６】
すなわち、指向特性は図３に示すように、（Ａ）レンズ面の法線に対し正負４５°の視野角内にある正面視野角方向に指向性を持って出射される光と、（Ｂ）正負４５°を超えてレンズ面に沿って出射される斜め光との２種類が確認される。（なお、正負視野角で輝度特性が非対称なのは導光体から出射される光が非対称であることによるものでプリズムレンズによるものではない。）このうち（Ｂ）斜め光は、レンズ面の法線に対し±８０°近辺で最大輝度を持ち、レンズより出射される全光量の約36％に当たる(表１の±４５°以上の視野角に於ける光量)。正面視野角方向の輝度を重視する液晶ディスプレイに於いて輝度向上に寄与してない。
【０００７】
従って、図８に示すような従来の高さ一定のレンズシートは、正面視野角方向の輝度に優れたものとはいえなかった。
【０００８】
【特許文献１】特開平２−８４６１８号公報
【発明の開示】
【発明が解決しようとする課題】
【０００９】
そこで、本発明は、液晶パネルの正面視野角方向の輝度を向上させたレンズシートを提供することを課題とする。
【課題を解決するための手段】
【００１０】
（１）本発明のレンズシートは、シート状の基材層１の少なくとも一面に、断面山型のレンズアレイ２を複数、基材層１の幅方向へ連設してなるレンズシートであって、レンズアレイ２の谷辺２３（すなわちレンズアレイ２の底面の両端辺）を同一平面状に形成し、隣接するレンズアレイ２の高さが複数のレンズアレイ２間で全て異なることを特徴とする。
【００１１】
（２）前記レンズシートは、隣接するレンズアレイ２の頂部同士の仰角θが、１０°以上４０°未満であることを特徴とするものでもよい。
【００１２】
（３）前記いずれかのレンズシートは、隣接するレンズアレイ２の高さｈが高低交互の順となるように配列されることを特徴とするものでもよい。
【００１３】
（４）前記いずれかのレンズシートは、隣接するレンズアレイ２の高低差（｜ｈｉ−ｈｉ−１｜、但しｉ：２以上の整数であって、基材層１の幅方向へ連設する複数のレンズアレイ２のうち、端から数えた２番目以降の順番を示す。）が、基材層１の幅方向へ順に規則的に配列されることを特徴とするものでもよい。
【００１４】
（作用）
プリズムレンズレンズの高低差によりその仰角θ内の斜め光を再びレンズに取り込みレンズアレイ２及び基材層１の屈折、全反射により再利用する。この再利用により正面視野角方向の輝度向上を行うものである。
【発明の効果】
【００１５】
レンズアレイ２の高低差によって斜め出射光の再利用を行うことで、正面視野角方向の輝度を向上させたレンズシートを提供することができる。
【発明を実施するための最良の形態】
【００１６】
以下、本発明を実施するための最良の形態を、実施例として示す図と共に説明する。図１は、本発明のレンズシートの端部を示す斜視概観図であり、図２は、実施例１および２の断面説明図であり、図３、図４はこれを構成する一レンズアレイ２について、それぞれ視野角対輝度特性、指向特性の試験結果であり、図５は、実施例１の出射光の指向特性を説明する断面説明図であり、図６は本発明のレンズシートのバックライトユニットへの配設順の説明図である。尚、図８は、従来の（一定高さのレンズアレイ２からなる）レンズシートの例の断面説明図である。
【００１７】
以下の実施例を含む本発明のレンズシートは、液晶パネルと光源との間へ、直接或いは間接的に重畳されて、液晶画面表示装置或いはその一部であるバックライト機構に組み込まれるものである。その構成は、重畳される液晶パネルに対応した形状の透光性のシート状の基材層１と、この基材層１の少なくとも一面に連設された複数のレンズアレイ２からなるプリズム層２０とを具備してなる。ここで各レンズアレイ２は、横臥した断面視山形の柱体からなる。各レンズアレイ２が底面の端辺同士で連なって、間隔をあけることなく且つ重なり合うことなく連設されることで、複数のレンズアレイ２によるプリズム層２０が形成される。これにより、各レンズアレイ２の底面および谷辺２３が、本発明のレンズシート全体で一平面を構成する。ここで、隣接するレンズアレイ２の頂部同士の仰角θが、１０°以上４０°未満である。
【００１８】
また、隣接するレンズアレイ２の高さｈｉ−１、ｈｉ、ｈｉ＋１、（ここでｉは、２以上の正の整数であって、幅方向に連設されるレンズアレイの、端からの順番を示す。但し、２番目以降の順番に限る。）が高低交互の順となるように配列される。すなわち、端から（ｉ−１）番目のレンズアレイ２の高さをｈｉ−１、端からｉ番目のレンズアレイ２の高さをｈｉ、端から（ｉ＋１）番目のレンズアレイ２の高さをｈｉ＋１としたとき、（ｈｉ−ｈｉ−１）（ｈｉ＋１−ｈｉ）＜０である。
【００１９】
更に、隣接するレンズアレイ２の高低差（（ｈｉ−ｈｉ−１）、（ｈｉ＋１−ｈｉ）、（ｈｉ＋２−ｈｉ＋１）、（ｈｉ＋３−ｈｉ＋２）、・・・の値）が、基材層１の幅方向へ順に規則的に配列されるか、或いは不規則的に配列される。
【００２０】
基材層１の幅方向へ順に規則的に配列されるとは、例えば（ｈｉ−ｈｉ−１）、（ｈｉ＋１−ｈｉ）、（ｈｉ＋２−ｈｉ＋１）、（ｈｉ＋３−ｈｉ＋２）、・・・の値群が、ある定数を乗じ、或いは／更に他の定数を加減してなる値群からなることをいう。
或いは基材層１の幅方向へ順に不規則的に配列されるとは、例えば（ｈｉ−ｈｉ−１）、（ｈｉ＋１−ｈｉ）、（ｈｉ＋２−ｈｉ＋１）、（ｈｉ＋３−ｈｉ＋２）、・・・の値群が、規則性を持たずにランダムな不特定数を乗じ、或いは／更に他の不特定数を加減してなる値群からなり、乱数を形成することをいう。以下、各構成について詳説する。
【００２１】
（基材層１）
基材層１はレンズシートの強度を確保すると共に、複数のレンズアレイ２を支持する層であり、シート状の板又はフィルムであり、完全又は不完全な透明性を有する。主たる構成材として、ポリエチレンテレフタレート（ＰＥＴ）樹脂、ポリカーボネート樹脂、ポリスチレン樹脂、アクリル樹脂、透明ガラス、無機透明物質等の透明質のものであれば使用可能である。基材層厚さ１ｈは特に限定するものではないが、加工の容易性、ハンドリング性、用途に応じた弾性、耐久性等を考慮して、１０μｍｍ〜５００μｍｍ程度が好ましい。基材層１の両面のうち、レンズアレイ２の形成される面は平面からなる。
【００２２】
（プリズム層２０）
プリズム層２０は、複数の連設されたレンズアレイ２から構成される透明又は半透明樹脂層であり、平坦なプリズム下面２２から下拡散シートを透過した透過光を入射させ、連続山形の頂部方向へ光を透過させることで、レンズ効果（所定角度内への屈折効果）を発生させ、連続山形の稜線と平行な光へと整光するものである。
【００２３】
レンズアレイ２は、頂部ｔを境とする左右対称のプリズム上面２１と、平坦なプリズム下面２２とを有してなる。断面の山形形状は、複数のレンズアレイ２同士で連設される底面から上方へ向って幅小となるものであればよく、図１〜図３のような傾斜２直線の他、複数直線による半多角形形状、曲線による山型形状等、任意の形状を採用することができる。但し、レンズアレイ２の底面たる下面はレンズ機能のために平坦であり、断面視において入光方向と略垂直に交わる直線或いは緩曲線からなる。
【００２４】
プリズム層２０の主たる構成材として、ポリエチレンテレフタレート（ＰＥＴ）樹脂、ポリカーボネート樹脂、ポリスチレン樹脂、アクリル樹脂、透明ガラス、無機透明物質等の透明質のものであれば使用可能である。層厚さ（実施例ではすなわちレンズアレイ２の高さｈ）は特に限定するものではないが、加工の容易性、ハンドリング性、用途に応じた弾性、耐久性等を考慮して、１０μｍｍ〜５００μｍｍ程度が好ましい。
【００２５】
基材層１と同一樹脂を主成分とすれば、層境界での光の入光方向への反射をより効果的に抑えることができ、輝度にも優れたものとなる。また同一樹脂を主成分とすれば、特に実施例１のように隣接層の構成樹脂同士を密着させた上で一体硬化させる場合に、層同士の密着性がよいものとなる。なお、さらにいえば、隣接する二層は、各層のＳＰ値が（±４〔（Ｊ/ｃｍ３）１／２〕以内、更には±２〔（（Ｊ/ｃｍ３）１／２〕以内の差で）近似することが好ましい。但し、ＳＰ値δ〔（Ｊ/ｃｍ３）１／２〕はＦｅｄｏｒｓによる膨潤度法で測定したときの値とする。
【００２６】
（レンズアレイ２）
レンズアレイ２は断面山型の柱体であり、基材層１に横臥して形成される。さらにいえば断面は二等辺三角形である。底面から頂部までの距離がレンズアレイ２の高さｈである。この柱体が横臥して、底面に当る柱体の一面が基材層１の少なくとも一面と接するように設けられる。
【００２７】
基材層１の一面と同様、横臥した柱体の底面に当る柱体の一面もまた平面からなる。この平面同士が当接した状態でレンズアレイ２が基材層１上に形成される。ここで、「基材層１上に形成される」とは、基材層１上に形成された形態からなることを意味する。必ずしも基材層１と区別できる形態であるという趣旨ではなく、基材層１とレンズアレイ２とが、同一成分或いは同一の主成分の樹脂からなり、一体的に構成されるものでもよい。また、製法上必ずしも基材層１の上面に取着形成することに限定する趣旨でもなく、例えば押し出し成形やローラー切断等によって基材層１の上面に溝を形成するものでも良い。
【００２８】
そして、複数のレンズアレイ２が、それぞれの隣り合う各辺が接するようにして、これら平面同士が当接するように、基材層１上に設けられる。このとき、レンズアレイ２が互いに重なり合うことなく、且つ間隔をあけることなく連設されることで、連設されたレンズアレイ２が基材層１の平面上にて谷辺２３を構成する。即ち、山型の頂辺を除いた底面の左右両辺が、それぞれ隣接するレンズアレイ２同士で互いに接して谷辺２３を構成する。
【００２９】
（高さｈの異なるレンズアレイ２）
複数のレンズアレイ２のいずれかは、高さｈの異なるレンズアレイ２である。複数のレンズアレイ２は少なくとも、それぞれ複数の、第一の高さｈａを有する第一のレンズアレイ２と、前記第一の高さ（断面底辺から）とは異なった第二の高さｈｂを有する第二のレンズアレイ２と、から構成される。更に、前記第一の高さ及び前記第二の高さといずれも異なった第三の高さｈｃを有する第三のレンズアレイ２を具備するものでもよく、或いは前記第三のレンズアレイ２に加えて更に、前記第一の高さｈａ、前記第二の高さｈｂ及び前記第三の高さｈｃのいずれとも異なった第四の高さｈｄを有する第四のレンズアレイ２を具備するものでもよい。
【００３０】
（高低交互の順に連設）
本発明のレンズシートは、複数のレンズアレイ２が高低交互の順に連設してなること、すなわち隣接するレンズアレイ２の高さの関係が、高低交互となるように連設してなるレンズシートであることを特徴とする。この様なレンズシートは、連設されるレンズアレイ２の山型断面を確認しうる断面視にて、基材層１上面の複数のレンズアレイ２を、基材層１の一端から順に１、２、３、・・・ｎ番目のレンズアレイ２と呼ぶとき、奇数番目のレンズアレイ２の高さｈ２ｎ+１と偶数番目のレンズアレイ２の高さｈ２ｎの大小関係すなわち（ｈ２ｎ+１−ｈ２ｎ）の値の正負は、必ず正又は負のいずれかで一定である。
【００３１】
このような高低交互となるものは例えば、第一のレンズアレイ２と第二のレンズアレイ２という２種類のレンズアレイ２を交互に連設してなるレンズシートが挙げられる。第一のレンズアレイ２の高さｈａと第一のレンズアレイ２の高さｈｂとは異なり、幅方向に連設するレンズアレイの高さは順に、ｈａ、ｈｂ、ｈａ、ｈｂ、・・・の繰り返しとなり、隣設するレンズアレイ２の高さｈの差（ｈｉ−ｈｉ-１）は、連設される幅方向の順に、正値、負値、正値、負値・・・を繰り返し（すなわち、（ｈｉ−ｈｉ-１）（ｈｉ+１−ｈｉ）＜０が成立し、）、かつ高さｈの差（ｈｉ−ｈｉ-１）の絶対値は同一である。
【００３２】
（隣接する頂部同士の仰角θ）
谷辺２３を同一平面状に形成し規則的な高低差のレンズ配列の組み合わせに於いては、高低差を有して隣り合うプリズムレンズにおいて、頂部同士の仰角θ即ち、「高さの低い一方のレンズアレイ２の頂部から見た、隣接する（高さの高い）他方のレンズアレイ２の頂部に対する仰角θ」が、少なくとも１０°以上４０°未満の範囲にあることが好ましい。この仰角θの範囲のなかでも、１２°以上３７°未満であることが好ましく、更には、１９°以上２８°以下であることが好ましい。これらの仰角θ範囲であると、下記実施例に示すように、例えば断面直角二等辺三角形の高低２種類のレンズアレイ２を交互配列した場合において、それぞれ２％以上（１０°以上４０°未満の場合）、３％以上（１２°以上３７°未満の範囲）、５％超（１９°以上２８°以下の範囲）の輝度上昇率が見込める。このような仰角θの組み合わせにより正面視野角方向の輝度上昇率の最適化を図ることができる。
【００３３】
（作用）
このようなレンズシートを、反射シート、下拡散シートを備えたバックライトユニットへ組み込むことで、以下の作用がある。すなわちバックライトユニットの側方の光源から出て反射シートで液晶パネルに対して斜めに反射し、下拡散シートを通過した光は、組み込まれた本発明のレンズシートの下面から上面へと透過する。この透過光がプリズム層２０を通過することによって整光される。このとき、谷辺２３を同一平面としながら隣接するレンズアレイ２に高低差を設けることによって、低い側のレンズアレイ２から仰角θ内に反射した光の一部は、高い側のレンズアレイ２によって全反射し、レンズシートの下面方向へ戻ることで再利用される。すなわち、レンズシートの下面方向への戻り光の一部は、基材層１の下面、下拡散シート、或いは反射シートによって再び全反射され、本発明のレンズシートの下面から上面へと再透過し、レンズアレイ２によって屈折して整光される。整光は、プリズム層２０と基材層１の密着によって、各層の隣接する層境界で透過光が入光方向へ大きく反射することが無く、また一体化成形と相俟って、整光機能がこうか連続的に達成される。
【実施例１】
【００３４】
（規則的配列のレンズシート）
本発明の実施例１のレンズシートは、高さの異なる複数種のレンズアレイ２がそれぞれ複数、規則的に連設される。具体的には、高さの異なる所定の複数のレンズアレイ２が所定の順番に連設されてレンズアレイ２群を構成してなり、このレンズアレイ２群が複数、同じ向きに連設されてなるレンズシートである。
【００３５】
ここで隣接するレンズアレイ２の高低差が、連設される順に規則的な数値となるようにして、レンズアレイ２が高低交互に配列されるものとしている。例えば実施例１では２種類のレンズアレイ２が交互に連設されるため、高低差は絶対値同一で、正負の符号のみがレンズアレイ２の連設順に交互に繰り返される。
【００３６】
上記実施例１において斜め光の再利用を示す。図５に、実施例１の高さの異なるレンズアレイ２から出射される各レンズの指向特性を示す。その比較例（従来例）として図８に、同じ高さのレンズアレイ２から出射される従来のレンズシートの各レンズアレイ２´の指向特性を示す。
【００３７】
（図８（ａ）の）高さｈａ、ｈｂの規則配列で、レンズアレイ２が頂角９０°の二等辺三角形において、数式１に示すように、高さｈａ、ｈｂ(ｈａ＞ｈｂ)の高さの比をＲとしたとき、ｈｂを基点とするｈａに対する仰角θは数式２に示すものとなる。
【００３８】
【数１】
2007233017.tif 000003
【００３９】
【数２】
2007233017.tif 000004
ここで、Ｒとθ〔°〕との関係は表１に示すものである。
【００４０】
【表１】
2007233017.tif 000005
図６に示すように、低い側の高さｈｂから出射されるθ°内の斜め光の一部は、隣接する高さｈａのレンズアレイに入射され屈折及び全反射により、下拡散シートへ一部は基材層１の下面（入光面）で全反射され再利用される。
【００４１】
例えば、頂角９０°の断面二等辺三角形のレンズアレイ２に於いて、数式３に示すように、第一の低い側の高さｈａが第二の高い側の高さｈｂの２倍の場合には、表１よりθ＝１８．４°となる。
【００４２】
【数３】
2007233017.tif 000006
このとき、ｈｂから出る光の各視野角内における光量の配分は表２のようになる。
【００４３】
【表２】
2007233017.tif 000007
表２より高さｈｂのレンズから出る光量のうち、仰角θ＝１８．４°内斜め光の光量として、±７１．６°以上±９０°内の１９．８％の光量が再利用されることがわかる。一方、頂角が同じ各高さのレンズから出る光量はその高さに比例することから、高さｈａ及びｈｂのレンズから出る全光量に対し、数式４に示す光量が再利用される。
【００４４】
【数４】
2007233017.tif 000008
７％のｈａレンズの斜め光(上表により、ｈａレンズからの全光量の３６％)となるため、正面視野角内光として再利用されるのは、下記数式５に示すように５．０％である。すなわち５．０％の正面視野角内の輝度向上が図れる。
【００４５】
【数５】
2007233017.tif 000009
表３は、仰角θ(θ)、高さ比(Ｒ)、仰角θ内光量、再利用光量及び正面視野角内輝度上昇率の関係を示す。図７は仰角θ(θ)対正面視野角内輝度上昇率の関係を示す。
【００４６】
【表３】
2007233017.tif 000010
正面視野角内輝度上昇率が３％以上の仰角θ(θ)は表３より１２°≦θ＜３７°、即ち、高さ比Ｒでは０．６５≦Ｒ＜０．１４である。よって、３％以上の輝度上昇率を得るために、仰角θ(θ)は表３より１２°≦θ＜３７°であることが好ましい。これは、上記実施例１（図２(ａ））および下記実施例２に示すような、レンズ高さの規則配列例でも設定しうるし、実施例３（図２（ｂ））に示すような不規則なレンズ高さのレンズアレイ２の不規則配列例でも設定しうる。
【実施例２】
【００４７】
（規則的配列のレンズシート）
実施例２のレンズシートとして、基材層１上の幅方向へ順に、「第一のレンズアレイ２、第二のレンズアレイ２、第三のレンズアレイ２、第四のレンズアレイ２、」が順に繰り返し連設されてなり、第一ないし第四のレンズアレイ２が規則的に配列されてなるものが挙げられる（図示せず）。これは、上記パターン単位をレンズアレイ２群として、同一の所定配列のレンズアレイ２群が複数、同じ向きに連設してなるレンズシートと考えることもできる。この場合のレンズアレイ２群は、順に連設される第一ないし第四のレンズアレイ２である。高低の順に交互に連設されるため、第一の高さないし第四の高さは、例えば第一の高さより第二の高さが大きいとき、第三の高さは第二の高さより小さく、第四の高さは第三及び第一の高さより大きい。
【実施例３】
【００４８】
（高さの異なるレンズアレイ２がランダム配列されてなるレンズシート）
実施例３のレンズシートは、高さの異なる複数種のレンズアレイ２がそれぞれ複数、高低交互に連設されると共に、隣り合う高低差の絶対値がランダムとなるように（すなわち、不規則的に）配列されてなる（図２（ｂ））。
【００４９】
図２（ｂ）の不規則なレンズ高さの配列実施例としてｈａとｈｂの組み合わせを最小単位として、前記仰角θ範囲内で乱数発生関数である下記数式６に示すＲＡＮＤ関数により配列を求めることが出来る。
【００５０】
【数６】
2007233017.tif 000011
また、θを１°未満切捨ての整数による不規則配列の場合は、下記数式７に示す関数によって正面視野角内輝度上昇率が最適になる配列を求めることが出来る。
【００５１】
【数７】
2007233017.tif 000012
例えば、表３に従って、θmax＝２８°、θmin＝１９°として、上記数式７で乱数により配列すれば５．１％以上の正面視野角内輝度率が得られる。
【００５２】
以上の効果は、頂角、二等辺に制限を受けるものでなくレンズ高低比Ｒ、仰角θによるものである。
【００５３】
その他、各部の具体的な構成及び製造方法に関する具体的な工程は、上述した実施例に限定されるものでなく、本発明の趣旨を逸脱しない範囲で種々の変形が可能である。
【産業上の利用可能性】
【００５４】
このようにして得られた本発明のレンズシートは、主に、液晶ディスプレイ装置に組み込まれるライティング機構用のレンズシートとして好適に用いられるが、その他、光源から導光体を経て導かれた光線を集整させる光学フィルムとして広く用いられうるものである。
【図面の簡単な説明】
【００５５】
【図１】本発明のレンズシートの端部を示す斜視概観図である。
【図２】本発明の実施例１および２のレンズシートの構造を示す断面説明図である。
【図３】本発明のレンズシートのプリズム層を構成する一レンズアレイについて、視野角対輝度特性を示す試験結果である。
【図４】本発明のレンズシートのプリズム層を構成する一レンズアレイについて、指向特性を示す試験結果である。
【図５】本発明の実施例１のレンズシートによる光りの再利用を説明する断面説明図である。
【図６】本発明のレンズシートのバックライトユニットへの配設順の説明図である。
【図７】本発明のレンズシートのプリズム層を構成する一レンズアレイについて、仰角θ(θ)対正面視野角内輝度上昇率の関係を示すグラフである。
【図８】従来のレンズシート例の断面説明図である。
【符号の説明】
【００５６】
１  基材層
２  レンズアレイ
２０  プリズム層
２１  プリズム上面
２２  プリズム下面
２３  谷辺
θ  仰角
【図１】
2007233017.tif 000013
【図２】
2007233017.tif 000014
【図３】
2007233017.tif 000015
【図４】
2007233017.tif 000016
【図５】
2007233017.tif 000017
【図６】
2007233017.tif 000018
【図７】
2007233017.tif 000019
【図８】
2007233017.tif 000020